(57)【要約】【課題】  携帯通信機器に接続可能な多数の通信デバイスの中から、適切な通信デバイスを選択する。【解決手段】  携帯電話機１００は、近距離無線通信機能を有する。携帯電話機１００は、複数の通信デバイスと近距離無線通信または有線通信で接続可能なローカル通信制御部１１２と、携帯電話網２００から着信通知を受信する通信部１０２と、通信部１０２が着信通知を受信した際に、ローカル通信制御部１１２と接続されている通信デバイスから、当該通信デバイスのその時点での状態を示すデバイス情報を取得するデバイス情報取得部１０８と、デバイス情報取得部１０８が取得したデバイス情報に基づき、着信通知に対する通信を行う通信デバイスを選択するデバイス選択部１１０とを含む。【選択図】      図１
2006279586.tif 000002
【特許請求の範囲】
【請求項１】
近距離無線通信機能を有する携帯通信機器であって、
複数の通信デバイスと近距離無線通信または有線通信で接続可能なローカル通信制御部と、
外部ネットワークから着信通知を受信する通信部と、
前記通信部が着信通知を受信した際に、前記ローカル通信制御部と接続されている前記通信デバイスから、当該通信デバイスのその時点での状態を示すデバイス情報を取得するデバイス情報取得部と、
前記デバイス情報取得部が取得した前記デバイス情報に基づき、前記着信通知に対する通信を行う前記通信デバイスを選択するデバイス選択部と、
を含むことを特徴とする携帯通信機器。
【請求項２】
請求項１に記載の携帯通信機器において、
前記通信部が受信した前記着信通知に基づき、当該着信通知の情報の種類を示す着信情報を取得する着信情報取得部をさらに含み、
前記デバイス選択部は、前記着信情報取得部が取得した前記着信情報と前記デバイス情報取得部が取得した前記デバイス情報とに基づき、前記着信通知に対する通信を行う前記通信デバイスを選択することを特徴とする携帯通信機器。
【請求項３】
請求項２に記載の携帯通信機器において、
前記デバイス選択部は、前記着信情報と前記デバイス情報とに基づき、前記着信情報との一致度の高い前記デバイス情報を有する前記通信デバイスを優先的に選択することを特徴とする携帯通信機器。
【請求項４】
請求項１乃至３いずれかに記載の携帯通信機器において、
前記ローカル通信制御部は、接続された前記通信デバイスが、近距離無線通信で接続されているか有線通信で接続されているかを示す接続管理情報を保持し、
前記デバイス選択部は、前記ローカル通信制御部が保持する前記接続管理情報にも基づき、前記着信通知に対する通信を行う前記通信デバイスを選択することを特徴とする携帯通信機器。
【請求項５】
請求項１乃至４いずれかに記載の携帯通信機器において、
前記デバイス情報は、前記通信デバイスのバッテリー残量を示す情報を含み、
前記デバイス選択部は、バッテリー残量の多い前記通信デバイスを優先的に選択することを特徴とする携帯通信機器。
【請求項６】
請求項１乃至５いずれかに記載の携帯通信機器において、
前記デバイス情報は、前記通信デバイスの電波品質を示す情報を含み、
前記デバイス選択部は、電波品質が高い前記通信デバイスを優先的に選択することを特徴とする携帯通信機器。
【請求項７】
請求項１乃至６いずれかに記載の携帯通信機器と、
前記携帯通信機器からデバイス情報の送信要求を受信すると、自装置のデバイス情報を前記携帯通信機器に送信する通信デバイスと、
を含むことを特徴とする通信システム。
【発明の詳細な説明】
【技術分野】
【０００１】
本発明は、携帯通信機器およびその携帯通信機器を含む通信システムに関する。
【背景技術】
【０００２】
近年、Ｂｌｕｅｔｏｏｔｈ、ＵＷＢ（Ultra Wide Band）、および無線ＬＡＮ等の近距離無線通信技術が急速に普及しており、携帯電話機やＰＤＡ（Personal Digital Assistance）等の携帯通信機器にも搭載されるようになってきた。また、近距離無線通信技術とＵＳＢやシリアル等従来の有線通信技術との両方を搭載し、複数の外部インターフェースを持つ携帯通信機器も普及してきている。
【０００３】
このような携帯通信機器は、近距離無線通信技術や有線通信技術を用いてＰＣ（パーソナルコンピュータ）、ヘッドセット、ハンズフリー機器、ビデオビューア等の通信デバイスと接続可能に構成される。ユーザは、携帯通信機器に接続された通信デバイスを用いて、携帯通信機器の着信相手と音声通信、動画像データ通信、パケットデータ通信等の通信を行うことができる。近年、携帯電話網の通信サービスも多様化しており、音声通話だけでなく、ＴＶ電話等の動画像データ通信やパケット通信も提供されている。通信デバイスにも、近距離無線通信技術を搭載したものや有線通信技術を搭載したもの、また種々の通信機能が搭載された多数のものがある。
【０００４】
このような通信デバイスの使用方法としては、ユーザがあらかじめ携帯通信機器と接続する通信デバイスを携帯通信機器に設定しておき、携帯通信機器に着信があった際に、設定された通信デバイスが携帯通信機器に自動的に接続されるようにするのが一般的である。
【０００５】
特許文献１には、近距離無線通信方式を実現するためのローカル無線通信機能を含む携帯電話機が開示されている。この携帯電話機は、着信を検出すると、メモリに登録されているローカル無線通信デバイスの中から優先順位の高いローカル無線通信デバイスを選択し、ローカル無線通信部を制御し、選択されたローカル無線通信デバイスに対して接続要求を送信する。ローカル無線制御部が、選択したローカル無線通信デバイスからの接続応答を受信すると、制御部は接続処理を行い、ローカル無線接続を確立し、着信通知信号を送信する。制御部はローカル無線デバイスからの着信応答信号を受信すると、無線部を制御して回線を接続し、通話またはデータ通信状態となる。制御部は回線切断を検出すると、ローカル無線通信接続を切断する。
【特許文献１】特開２００４−１１２２４３号公報
【発明の開示】
【発明が解決しようとする課題】
【０００６】
しかし、近年、このようなローカル無線通信デバイスの普及が進んでおり、ユーザが多数のローカル無線通信デバイスを保持することが多くなっている。そのような場合、ユーザの周りには新しいローカル無線通信デバイスや古いローカル無線通信デバイスが多数存在する可能性がある。そのような多数のローカル無線通信デバイスの中から、自動的に適切なものを選択してユーザが使用することができるようなシステムの構築が望まれる。
【０００７】
本発明は上記事情を踏まえてなされたものであり、携帯通信機器に接続可能な多数の通信デバイスの中から、適切な通信デバイスを選択する技術の提供にある。
【課題を解決するための手段】
【０００８】
本発明によれば、近距離無線通信機能を有する携帯通信機器であって、複数の通信デバイスと近距離無線通信または有線通信で接続可能なローカル通信制御部と、外部ネットワークから着信通知を受信する通信部と、前記通信部が着信通知を受信した際に、前記ローカル通信制御部と接続されている前記通信デバイスから、当該通信デバイスのその時点での状態を示すデバイス情報を取得するデバイス情報取得部と、前記デバイス情報取得部が取得した前記デバイス情報に基づき、前記着信通知に対する通信を行う前記通信デバイスを選択するデバイス選択部と、を含むことを特徴とする携帯通信機器が提供される。
【０００９】
ここで、携帯通信機器は、たとえば、携帯電話機またはＰＤＡとすることができる。デバイス情報は、たとえば、通信デバイスの伝送スピード、バッテリーの残量、使用できる通信機能、無線の場合の電波品質等を示す情報とすることができる。
【００１０】
このような構成とすることにより、通信デバイスの動的な状況変化に対応した適切な通信デバイスを選択することができる。
【００１１】
本発明の携帯通信機器は、前記通信部が受信した着信通知に基づき、当該着信通知の情報の種類を示す着信情報を取得する着信情報取得部をさらに含むことができ、前記デバイス選択部は、前記着信情報取得部が取得した前記着信情報と前記デバイス情報取得部が取得した前記デバイス情報とに基づき、前記着信通知に対する通信を行う前記通信デバイスを選択することができる。
【００１２】
ここで、着信情報は、たとえば、音声通信、動画像データ通信、非制限デジタルデータ通信、またはパケットデータ通信等の通信種類情報や、伝送スピード等を示す情報とすることができる。
【００１３】
このような構成とすることにより、着信通知に対して適切な通信デバイスを選択することができる。
【００１４】
本発明の携帯通信機器において、前記デバイス選択部は、前記着信情報と前記デバイス情報とに基づき、前記着信情報との一致度の高い前記デバイス情報を有する前記通信デバイスを優先的に選択することができる。
【００１５】
ここで、一致度が高いとは、たとえば着信通知の情報を出力可能な通信機能が利用可能な通信デバイスを選択したり、着信通知の情報を良好な品質で出力可能な通信デバイスを選択することができる。
【００１６】
本発明の携帯通信機器において、前記ローカル通信制御部は、接続された前記通信デバイスが、近距離無線通信で接続されているか有線通信で接続されているかを示す接続管理情報を保持することができ、前記デバイス選択部は、前記ローカル通信制御部が保持する前記接続管理情報にも基づき、前記着信通知に対する通信を行う前記通信デバイスを選択することができる。
【００１７】
デバイス選択部は、たとえば、有線通信で接続されている通信デバイスを優先的に選択することができる。携帯通信機器に有線通信デバイスが接続されている場合、ユーザが有線通信デバイスを優先的に利用したいと思っている可能性が高い。そのため、ユーザの意図も考慮して適切な通信デバイスを選択することができる。
【００１８】
本発明の携帯通信機器において、前記デバイス情報は、前記通信デバイスのバッテリー残量を示す情報を含むことができ、前記デバイス選択部は、バッテリー残量の多い前記通信デバイスを優先的に選択することができる。
【００１９】
各通信デバイスのバッテリー残量は、経時的に変化する可能性がある。本発明の携帯通信機器によれば、バッテリー残量を考慮して適切な通信デバイスを選択するので、途中でバッテリー切れにより通信が切断されたりすることなく、ユーザが快適に通信を行うようにすることができる。
【００２０】
本発明の携帯通信機器において、前記デバイス情報は、前記通信デバイスの電波品質を示す情報を含むことができ、前記デバイス選択部は、電波品質が高い前記通信デバイスを優先的に選択することができる。
【００２１】
ここで、電波品質は、たとえば電波強度とすることができる。この場合、デバイス選択部は、電波強度が大きい通信デバイスを優先的に選択することができる。
【００２２】
本発明によれば、上記いずれかに記載の携帯通信機器と、前記携帯通信機器からデバイス情報の送信要求を受信すると、自装置のデバイス情報を前記携帯通信機器に送信する通信デバイスと、を含むことを特徴とする通信システムが提供される。
【００２３】
なお、以上の構成要素の任意の組合せ、本発明の表現を方法、装置、システム、記録媒体、コンピュータプログラム等の間で変換したものもまた、本発明の態様として有効である。
【発明の効果】
【００２４】
以上述べたように、本発明によれば、携帯通信機器に接続可能な多数の通信デバイスの中から、適切な通信デバイスを選択することができる。
【発明を実施するための最良の形態】
【００２５】
以下の実施の形態において、携帯通信機器が携帯電話機である場合を例として説明する。
図１は、本実施の形態における携帯電話機を含む通信システムの構成を示すブロック図である。なお、図１において、本発明の本質に関わらない部分の構成については省略してある。
【００２６】
携帯電話機１００（携帯通信機器）は、近距離無線通信機能を有し、複数の通信デバイスと近距離無線通信または有線通信で接続可能なローカル通信制御部１１２と、携帯電話網２００（外部ネットワーク）から着信通知を受信する通信部１０２と、通信部１０２が着信通知を受信した際に、ローカル通信制御部１１２と接続されている通信デバイスから、当該通信デバイスのその時点での状態を示すデバイス情報を取得するデバイス情報取得部１０８と、デバイス情報取得部１０８が取得したデバイス情報に基づき、着信通知に対する通信を行う通信デバイスを選択するデバイス選択部１１０とを含む。
【００２７】
ローカル無線通信デバイス３００、ローカル無線通信デバイス３０２、および有線通信デバイス３０４は、携帯電話機１００と接続して通信が行える、一般的なハンズフリー機器やヘッドセット、ＰＣ、ビデオビューア等である。ローカル無線通信デバイス３００やローカル無線通信デバイス３０２は、Ｂｌｕｅｔｏｏｔｈや無線ＬＡＮ等の近距離無線通信技術を用いて、携帯電話機１００とデータの送受信ができる無線通信デバイスである。有線通信デバイス３０４は、ＵＳＢやシリアル等の有線通信技術を用いて、携帯電話機１００とデータの送受信ができる有線通信デバイスである。
【００２８】
携帯電話機１００は、さらに、着信検出部１０４、着信情報取得部１０６、通知部１１４、操作部１１６、デバイス記憶部１２０、および選択基準記憶部１２２を含む。
【００２９】
通信部１０２は、アンテナ、無線通信機能、および信号処理機能等を備え、携帯電話網２００と無線通信を行う。操作部１１６は、ユーザが各種入力操作を行うためのキーパッド等により構成され、ユーザの指示を受け付ける。通知部１１４は、各種メッセージや携帯電話機１００の操作を行う際の操作メニュー等を表示する表示部や、着信音出力やアラーム通知等を行う音声出力部により構成される。
【００３０】
ローカル通信制御部１１２は、Ｂｌｕｅｔｏｏｔｈや無線ＬＡＮ等の近距離無線通信技術を用いてローカル無線通信デバイス３００やローカル無線通信デバイス３０２等と接続して、データの送受信を行う。また、ローカル通信制御部１１２は、ＵＳＢやシリアル等の有線通信技術を用いて有線通信デバイス３０４等と接続して、データの送受信を行う。ローカル通信制御部１１２は、各通信デバイスが、近距離無線通信で接続されているか有線通信で接続されているかを示す接続管理情報を保持する機能も有する。
【００３１】
デバイス記憶部１２０は、携帯電話機１００が接続可能なローカル無線通信デバイスのデバイスアドレス等の登録情報を記憶する。デバイス記憶部１２０への無線通信デバイスの登録は、操作部１１６を介してユーザにより行われてもよく、携帯電話機１００が自動的に周囲にある無線通信デバイスを検出して登録しておくこともできる。
【００３２】
通信部１０２が携帯電話網２００からの着信通知を受信すると、着信検出部１０４は、着信を検出する。着信情報取得部１０６は、通信部１０２が受信した着信通知からその情報の種類を示す着信情報を取得する。ここで、着信情報は、たとえば、音声通信、動画像データ通信、非制限デジタルデータ通信、またはパケットデータ通信等の通信種類情報や、伝送スピード等である。
【００３３】
着信検出部１０４が着信を検出すると、デバイス情報取得部１０８は、着信検出部１０４の通知に基づき、携帯電話機１００に接続しているすべての通信デバイスから伝送スピード、バッテリーの残量、使用できる通信機能、無線の場合の電波品質等、各通信デバイスの状態を示すデバイス情報を取得する。本実施の形態において、電波品質は、電波強度とすることができる。
【００３４】
デバイス選択部１１０は、着信情報取得部１０６が取得した着信情報、デバイス情報取得部１０８が取得したデバイス情報、およびローカル通信制御部１１２が保持する接続管理情報に基づき、着信通知に対する通信を行うのに適切な通信デバイスを選択する。選択基準記憶部１２２は、デバイス選択部１１０が、適切な通信デバイスを選択するための選択基準を記憶する。選択基準記憶部１２２が記憶する選択基準の具体例は後述する。デバイス選択部１１０は、ローカル通信制御部１１２を介して、選択した通信デバイスに着信通知を行い、着信通知に対する通信を開始させる。これと同時に、デバイス選択部１１０は、ローカル通信制御部１１２に通知を行い、選択された通信デバイス以外の通信デバイスとの接続を切断することもできる。
【００３５】
また、デバイス選択部１１０は、通信デバイスを選択すると、選択した通信デバイスを通知部１１４に通知させる処理を行う。これにより、ユーザがどの通信デバイスが選択されたかを知ることができる。
【００３６】
なお、着信検出部１０４が着信を検出した場合に、ローカル通信制御部１１２と接続された通信デバイスがない場合、ローカル通信制御部１１２は、デバイス情報取得部１０８の指示に基づき、デバイス記憶部１２０に登録された無線通信デバイスとの接続を確立することができる。この後、ローカル通信制御部１１２は、デバイス情報取得部１０８の指示に基づき、各通信デバイスのデバイス情報を取得する。
【００３７】
また、デバイス情報取得部１０８は、ローカル通信制御部１１２を介して、デバイス記憶部１２０に登録されていない通信デバイスであっても、その時点で携帯電話機１００の周囲にあり、携帯電話機１００と接続可能な無線通信デバイスを検出することができる。この場合、ローカル通信制御部１１２は、デバイス情報取得部１０８の指示に基づき、検出された無線通信デバイスとの接続を確立することができる。
【００３８】
また、デバイス情報取得部１０８は、ローカル通信制御部１１２に接続された通信デバイスの有無にかかわらず、その時点で携帯電話機１００の周囲にあり、携帯電話機１００と接続可能な無線通信デバイスを検出することもできる。ローカル通信制御部１１２は、デバイス情報取得部１０８の指示に基づき、検出された無線通信デバイスとの接続を確立することができる。この後、ローカル通信制御部１１２は、デバイス情報取得部１０８の指示に基づき、各通信デバイスのデバイス情報を取得する。
【００３９】
本実施の形態の通信システムは、携帯電話機１００と各通信デバイスとの間で、あらかじめ、デバイス情報送受信に用いるメッセージのフォーマット、パラメータの範囲等が規定された構成とすることができる。各通信デバイスは、携帯電話機１００からパラメータ化されたデバイス情報の送信要求を受信すると、対応するパラメータの値を返信することができる。これにより、携帯電話機１００は、各通信デバイスのデバイス情報を取得することができる。
【００４０】
図２は、ローカル無線通信デバイス３００の構成の一例を示すブロック図である。
ローカル無線通信デバイス３００は、バッテリー残量検出部３１０、使用可能機能検出部３１２、自装置情報取得部３１４、ローカル通信制御部３１６、および自装置情報記憶部３１８を含む。
【００４１】
自装置情報記憶部３１８は、ローカル無線通信デバイス３００のデバイス情報を記憶する。たとえば、自装置情報記憶部３１８は、ローカル無線通信デバイス３００が有する通信機能および各通信機能におけるローカル無線通信デバイス３００の伝送スピードを対応づけて記憶する。自装置情報記憶部３１８は、ローカル無線通信デバイス３００が有する各機能が使用可能な状態か否かも記憶することができる。
【００４２】
使用可能機能検出部３１２は、自装置情報記憶部３１８および設定情報等を参照して、ローカル無線通信デバイス３００が有する通信機能のうち、その時点で使用可能に設定されている通信機能を検出する。たとえば、ローカル無線通信デバイス３００が複数の通信機能を有する場合であっても、ユーザの設定等により、いずれかの通信機能が使用できないようになっている可能性がある。また、いずれかの通信機能が使用中の場合もある。使用可能機能検出部３１２は、定期的にまたは変更の設定があった場合にローカル無線通信デバイス３００の使用可能な通信機能を検出し、自装置情報記憶部３１８に記憶しておくことができる。自装置情報取得部３１４は、ローカル通信制御部３１６が携帯電話機１００からデバイス情報の送信要求を受信した際に、自装置情報記憶部３１８から使用可能な通信機能を読み出すことができる。
【００４３】
また、他の例において、使用可能機能検出部３１２は、ローカル通信制御部３１６が携帯電話機１００からデバイス情報の送信要求を受信した際に、ローカル無線通信デバイス３００が有する機能のうち使用可能に設定されている通信機能を検出して、自装置情報取得部３１４に通知することもできる。
【００４４】
バッテリー残量検出部３１０は、ローカル無線通信デバイス３００のバッテリー残量を検出する。バッテリー残量検出部３１０は、検出した結果を自装置情報取得部３１４に通知する。
【００４５】
自装置情報取得部３１４は、自装置情報記憶部３１８から使用可能な通信機能に対応する伝送スピードを読み出す。ローカル通信制御部３１６が、携帯電話機１００からデバイス情報の送信要求を受信すると、自装置情報取得部３１４は、その時点での自装置のデバイス情報を応答としてローカル通信制御部３１６を介して携帯電話機１００に送信する。自装置情報取得部３１４は、携帯電話機１００からデバイス情報の取得要求を受信した際に、その受信データに基づき、携帯電話機１００との間の電波強度を検出することができる。この場合、自装置情報取得部３１４は、デバイス情報として電波強度も携帯電話機１００に送信することができる。また、他の例において、携帯電話機１００側で、たとえばデバイス情報取得部１０８が各通信デバイスからの応答に基づき、各通信デバイスとの間の電波強度を検出することもできる。
【００４６】
以上では、ローカル無線通信デバイス３００を例として説明したが、ローカル無線通信デバイス３０２や有線通信デバイス３０４も同様の機能を有する構成とすることができる。なお、有線通信デバイス３０４については、携帯電話機１００と有線接続されているため、電波強度の検出は行われない。
【００４７】
図３は、本実施の形態における携帯電話機１００の処理手順を示すフローチャートである。
通信部１０２が携帯電話網２００からの着信通知を受信し、着信検出部１０４が着信を検出すると（Ｓ１００のＹＥＳ）、着信検出部１０４は、着信情報取得部１０６およびデバイス情報取得部１０８に着信を検出したことを通知する。着信情報取得部１０６は、通信部１０２が受信した着信通知から着信情報を取得する（Ｓ１０２）。デバイス情報取得部１０８は、ローカル通信制御部１１２を介して現在携帯電話機１００に接続中の通信デバイスがあるか否かを検出する（Ｓ１０４）。接続中の通信デバイスがある場合（Ｓ１０４のＹＥＳ）、デバイス情報取得部１０８は、ローカル通信制御部１１２を介して、接続中の通信デバイスから、伝送スピード、バッテリーの残量、使用できる通信機能、無線の場合の電波強度等、各通信デバイスの状態を示すデバイス情報を取得する（Ｓ１０８）。
【００４８】
デバイス選択部１１０は、着信情報取得部１０６が取得した着信情報、デバイス情報取得部１０８が取得したデバイス情報、およびローカル通信制御部１１２が保持する接続管理情報に基づき、接続中の通信デバイスの中から、着信通知に対する通信を行うのに適切な通信デバイスを選択する（Ｓ１１０）。
【００４９】
その後、デバイス選択部１１０は、ローカル通信制御部１１２を介して選択した通信デバイスに着信通知を行い、その通信デバイスとの間で、着信通知に対する通信を開始させる（Ｓ１１２）。
【００５０】
つづいて、ローカル通信制御部１１２は、ステップＳ１１２で着信通知を行った通信デバイス以外に接続中の通信デバイスがあるか否かを判断する（Ｓ１１４）。他に接続中の通信デバイスがあった場合（Ｓ１１４のＹＥＳ）、ローカル通信制御部１１２はそれらの通信デバイスとの接続を切断する（Ｓ１１６）。これにより、携帯電話機１００において、接続されている他の通信デバイスの管理を行う必要がなくなり、自装置の処理負荷を軽くすることができる。また、通信デバイスが同時に複数のデバイスと接続できない場合、携帯電話機１００との接続を切断することにより、通信デバイスが他の装置との接続を受け付けられるようになる。この後、処理を終了する。一方、ステップＳ１１４で、他に接続中の通信デバイスがない場合（Ｓ１１４のＮＯ）、そのまま処理を終了する。
【００５１】
ステップＳ１０４において、接続中の通信デバイスがない場合（Ｓ１０４のＮＯ）、デバイス情報取得部１０８は、デバイス記憶部１２０を参照して、デバイス情報取得部１０８の指示に基づき、デバイス記憶部１２０に登録されている通信デバイスとの接続処理を行う（Ｓ１１８）。通信デバイスとの接続処理が行われたら（Ｓ１２０のＹＥＳ）、ステップＳ１０８に進む。一方、いずれの通信デバイスとも接続処理が行えなかった場合（Ｓ１２０のＮＯ）、接続不可処理を行う（Ｓ１２２）。具体的には、発信側の端末に「現在接続することができません。」という応答を行ったり、携帯電話機１００のユーザに「接続できません、確認をお願いします。」等の通知を行ったりすることができる。
【００５２】
図４は、選択基準記憶部１２２が記憶する選択基準に従ってデバイス選択部１１０が適切な通信デバイスを選択する手順の一例を示すフローチャートである。
まず、デバイス選択部１１０は、着信情報取得部１０６が取得した着信情報とデバイス情報取得部１０８が取得したデバイス情報とに基づき、着信情報に含まれる通信機能と同じ通信機能を使用可能な通信デバイスがあるか否かを判断する（Ｓ２００）。同じ通信機能を使用可能な通信デバイスがある場合（Ｓ２００のＹＥＳ）、それらの通信デバイスが選択される。つづいて、デバイス選択部１１０は、選択された通信デバイスの中に、携帯電話機１００と有線接続された通信デバイスがあるか否かを判断する（Ｓ２０２）。有線接続された通信デバイスがある場合（Ｓ２０２のＹＥＳ）、それらの通信デバイスが選択される。携帯電話機１００に有線通信デバイスが接続されている場合、ユーザが有線通信デバイスを優先的に利用したいと思っている可能性が高い。そのため、ここでは、有線通信デバイスが接続されている場合には、有線通信デバイスが優先的に選択される例を示した。しかし、これに限られず、選択基準記憶部１２２の選択基準を変えて、無線通信デバイスが優先的に選択されるようにすることもできる。
【００５３】
つづいて、デバイス選択部１１０は、選択された通信デバイスのバッテリー残量が充分か否かを判断する（Ｓ２０４）。バッテリー残量が充分な通信デバイスがある場合（Ｓ２０４のＹＥＳ）、それらの通信デバイスが選択される。その後、デバイス選択部１１０は、選択された通信デバイスの中から、伝送スピードに基づき、着信の通知を行う通信デバイスを選択する（Ｓ２０６）。具体的には、デバイス選択部１１０は、着信情報に含まれる伝送スピードと同じ伝送スピードの通信デバイスを優先的に選択する。また、同じ伝送スピードの通信デバイスがない場合、デバイス選択部１１０は、伝送スピードの大きい通信デバイスを優先的に選択する。以上により処理を終了する。
【００５４】
ステップＳ２０４で、選択された通信デバイスのバッテリー残量が充分でない場合（Ｓ２０４のＮＯ）、デバイス選択部１１０は、ステップＳ２００で選択された無線通信デバイスがあるか否かを判断する（Ｓ２０８）。無線通信デバイスがない場合（Ｓ２０８のＮＯ）、デバイス選択部１１０は、通知部１１４を介して、たとえばバッテリー残量が少なく、途中で通信が切断される可能性があることをユーザに通知するとともに（Ｓ２１０）、ステップＳ２０６に進み、ステップＳ２０２で選択された通信デバイスの中のいずれかを選択する。このとき、デバイス選択部１１０は、通信デバイスの伝送スピードにかかわらず、最もバッテリー残量の多い通信デバイスを優先的に選択することもできる。
【００５５】
ステップＳ２０２において、有線接続された通信デバイスがない場合（Ｓ２０２のＮＯ）、またはステップＳ２０８で無線接続された通信デバイスがある場合（Ｓ２０８のＹＥＳ）、無線接続された通信デバイスが選択される。つづいて、デバイス選択部１１０は、選択された通信デバイスのバッテリー残量が充分か否かを判断する（Ｓ２１２）。ここで、バッテリー残量が充分な通信デバイスがある場合（Ｓ２１２のＹＥＳ）、それらの通信デバイスが選択される。その後、デバイス選択部１１０は、選択された通信デバイスの中から、伝送スピードおよび電波強度に基づき、着信の通知を行う通信デバイスを選択する（Ｓ２１４）。具体的には、デバイス選択部１１０は、着信情報に含まれる伝送スピードと同じ伝送スピードの通信デバイスを優先的に選択する。また、同じ伝送スピードの通信デバイスがない場合、デバイス選択部１１０は、伝送スピードの大きい通信デバイスを優先的に選択する。また、デバイス選択部１１０は、伝送スピードが同じ通信デバイスについては、電波強度の大きい通信デバイスを優先的に選択することができる。以上により処理を終了する。
【００５６】
ステップＳ２１２で、選択された通信デバイスのバッテリー残量が充分でない場合（Ｓ２１２のＮＯ）、デバイス選択部１１０は、通知部１１４を介して、たとえばバッテリー残量が少なく、途中で通信が切断される可能性があることをユーザに通知するとともに（Ｓ２１６）、ステップＳ２１４に進み、選択されている通信デバイスの中のいずれかを選択する。このとき、デバイス選択部１１０は、通信デバイスの伝送スピードや電波強度にかかわらず、最もバッテリー残量の多い通信デバイスを優先的に選択することもできる。
【００５７】
ステップＳ２００において、同じ通信機能を使用可能な通信デバイスがない場合（Ｓ２００のＮＯ）、デバイス選択部１１０は、通信不可処理を行う（Ｓ２１８）。具体的には、発信側の端末に「現在接続することができません。」という応答を行ったり、携帯電話機１００のユーザに「接続できません、確認をお願いします。」等の通知を行ったりすることができる。
【００５８】
次に、図１〜図４を参照して、具体例を説明する。
ステップＳ１０８（図３）で、デバイス情報取得部１０８が取得した各通信デバイスのデバイス情報が、以下の通りであるとする。
（１）ローカル無線通信デバイス３００：使用できる通信機能＝音声通信、伝送スピード＝６４Ｋｂｐｓ、バッテリー残量＝多、電波強度＝強、
（２）ローカル無線通信デバイス３０２：使用できる通信機能＝音声通信および動画像データ通信、伝送スピード＝音声通信の時６４Ｋｂｐｓ、動画像データ通信の時６４Ｋｂｐｓまたは１２８Ｋｂｐｓ、バッテリー残量＝多、電波強度＝弱、
（３）有線通信デバイス３０４：使用できる通信機能＝音声通信およびパケットデータ通信機能、伝送スピード＝音声通信の時６４Ｋｂｐｓ、パケットデータ通信のとき最大２Ｍｂｐｓ、バッテリー残量＝多。
【００５９】
また、たとえば、ステップＳ１０２（図３）で、着信情報取得部１０６が取得した着信情報が、通信機能＝動画像データ通信、伝送スピード＝１２８Ｋｂｐｓであるとする。この場合、図４に示した手順に従うと、動画像データ通信の機能を有し、バッテリー残量が充分あるローカル無線通信デバイス３０２が選択される。
【００６０】
また、たとえば、ステップＳ１０２で、着信情報取得部１０６が取得した着信情報が、通信機能＝音声通信、伝送スピード＝６４Ｋｂｐｓであるとする。この場合、音声通信の機能を有し、有線接続されていて、バッテリー残量が充分ある有線通信デバイス３０４が選択される。
【００６１】
以上説明したように、本実施の形態における携帯通信機器およびそれを含む通信システムにおいて、以下の効果を奏する。
【００６２】
携帯電話機１００が携帯電話網２００からの着信通知を受信した時点における各通信デバイスのデバイス情報に基づき、携帯電話網２００からの着信通知に対する通信を開始する通信デバイスが選択される。そのため、各通信デバイスの動的な状態変化に対応した適切な通信デバイスを選択することができる。
【００６３】
また、携帯電話網２００から受信した着信通知の着信情報にも基づいて、携帯電話網２００からの着信通知に対する通信を開始する通信デバイスが選択される。そのため、着信通知に対して適切な通信デバイスを選択することができる。
【００６４】
さらに、携帯電話機１００と通信デバイスとの接続管理情報にも基づいて、携帯電話網２００からの着信通知に対する通信を開始する通信デバイスが選択される。これにより、ユーザの意図も考慮して適切な通信デバイスを選択することができる。
【００６５】
以上のように、適切な通信デバイスが自動的に選択されるので、ユーザが予め設定を行ったり、携帯電話網２００からの着信通知があってからユーザが通信デバイスの選択を行ったりする手間を省くことができる。
【００６６】
図１および図２に示した携帯電話機およびローカル無線通信デバイスの各構成要素は、ハードウエアとソフトウエアの任意の組合せによって実現される。これらの図は、ハードウエア単位の構成ではなく、機能単位のブロックを示す。
【００６７】
以上、図面を参照して本発明の実施の形態について述べたが、これらは本発明の例示であり、上記以外の様々な構成を採用することもできる。
【００６８】
図４を参照して、デバイス選択部が適切な通信デバイスを選択する手順の一例を示した。たとえば、選択基準記憶部１２２に記憶された選択基準を満たす通信デバイスが複数ある場合、携帯電話機１００は、それらの通信デバイスすべてに着信を通知し、最初に応答があった通信デバイスに、着信通知に対する通信を行わせるようにすることができる。この場合、それ以外の通信デバイスとの接続を切断することができる。
【００６９】
また、携帯通信端末が、マルチコール機能を有する場合、第２呼目の着信があった際にも、第１呼目の着信の場合と同様に処理することができる。
【図面の簡単な説明】
【００７０】
【図１】本発明の実施の形態における携帯電話機の構成を示すブロック図である。
【図２】ローカル無線通信デバイスの構成の一例を示すブロック図である。
【図３】本発明の実施の形態における携帯電話機の処理手順を示すフローチャートである。
【図４】選択基準記憶部が記憶する選択基準に従ってデバイス選択部が適切な通信デバイスを選択する手順の一例を示すフローチャートである。
【符号の説明】
【００７１】
１００  携帯電話機
１０２  通信部
１０４  着信検出部
１０６  着信情報取得部
１０８  デバイス情報取得部
１１０  デバイス選択部
１１２  ローカル通信制御部
１１４  通知部
１１６  操作部
１２０  デバイス記憶部
１２２  選択基準記憶部
３００  ローカル無線通信デバイス
３０２  ローカル無線通信デバイス
３０４  有線通信デバイス
３１０  バッテリー残量検出部
３１２  使用可能機能検出部
３１４  自装置情報取得部
３１６  ローカル通信制御部
３１８  自装置情報記憶部
【図１】
2006279586.tif 000003
【図２】
2006279586.tif 000004
【図３】
2006279586.tif 000005
【図４】
2006279586.tif 000006